(57)【要約】【課題】被測定試料のハーゼン単位色数、ヨウ素色数またはガードナー色数などの色指数（インデックス）を、前記被測定試料の光学的特性から求めるにあたって、任意の温度で色指数の判定を可能にするとともに、本来の目視による比色結果との整合性を持たせる。【解決手段】前記光学的特性と前記色指数（インデックス）との関係を記憶した検量線を、複数の温度で取得しておく。したがって、作成温度が異なる複数の検量線を選択的に用い、適宜補間などを行うことで、任意の温度で色指数の判定を行えるようになり、利便性を向上することができ、また本来の目視による比色結果との整合性を持たせることができる。【選択図】図８
2011191189.tif 000002
【特許請求の範囲】
【請求項１】
被測定試料の光学的特性を測定し、その測定結果を、予め測定されている１または複数の色度標準液の光学的特性と該色度標準液の色指数とを対応付けた検量線と対照することで、前記被測定試料と前記色度標準液との比色判定を行う色指数測定装置において、
前記検量線は、各色度標準液において複数の温度での測定結果から作成されることを特徴とする色指数測定装置。
【請求項２】
前記被測定試料の光学的特性を測定する測定部と、
前記各色度標準液について前記複数の温度で作成された前記検量線を記憶する記憶部と、
環境または前記被測定試料の温度に基づいて、前記検量線を選択することで、前記比色判定の温度を変更する検量線温度条件制御部と、
前記検量線温度条件制御部で選択された検量線を用いて、前記測定部の測定結果から比色判定を行う色指数演算部とを備えることを特徴とする請求項１記載の色指数測定装置。
【請求項３】
前記検量線温度条件制御部で選択された検量線の温度条件を表示する表示部をさらに備えることを特徴とする請求項２記載の色指数測定装置。
【請求項４】
測定者による温度条件の入力操作に応答して、前記検量線温度条件制御部に前記検量線を選択させる入力操作部と、
前記入力操作部から入力された前記温度条件を表示する表示部とをさらに備えることを特徴とする請求項３記載の色指数測定装置。
【請求項５】
前記被測定試料の温度を測定し、その測定結果に応答して、前記検量線温度条件制御部に前記検量線を選択させる試料温度測定部と、
前記試料温度測定部で測定された前記被測定試料の温度を表示する表示部とをさらに備えることを特徴とする請求項３記載の色指数測定装置。
【請求項６】
環境温度を測定し、その測定結果に応答して、前記検量線温度条件制御部に前記検量線を選択させる環境温度測定部と、
前記環境温度測定部で測定された前記環境温度を表示する表示部とをさらに備えることを特徴とする請求項３記載の色指数測定装置。
【請求項７】
前記記憶部には、複数種類の光学的特性について、それぞれ複数の温度における検量線が記憶されており、
前記複数種類の検量線の内、得られた光学的特性を中心とした所定範囲の該光学的特性の変化に対して、色指数の変化の大きい検量線を用いる光学的特性選択部をさらに備えることを特徴とする請求項２記載の色指数測定装置。
【請求項８】
前記被測定試料または環境の温度を変化することができる温度変更部をさらに備えることを特徴とする請求項２，３，５，６，７のいずれか１項に記載の色指数測定装置。
【請求項９】
前記色指数は、ハーゼン単位色数、ヨウ素色数またはガードナー色数であることを特徴とする請求項１〜８のいずれか１項に記載の色指数測定装置。
【請求項１０】
前記光学的特性は、Ｌ＊ａ＊ｂ＊値、黄色度、三刺激値またはｘｙ値であることを特徴とする請求項１〜９のいずれか１項に記載の色指数測定装置。
【請求項１１】
被測定試料と色度標準液との比色判定を行う色指数測定装置における制御プログラムにおいて、
複数の温度条件において予め測定されている１または複数の色度標準液の光学的特性と該色度標準液の色指数とを対応付けた検量線を、前記複数の温度条件の中から選択する選択工程と、
前記被測定試料の光学的特性を測定する測定工程と、
前記測定工程での測定結果を、前記選択工程で選択された検量線と対照することで、前記被測定試料と前記色度標準液との比色判定を行う判定工程とを含むことを特徴とする色指数測定装置の制御プログラム。
【請求項１２】
被測定試料の光学的特性を測定し、その測定結果を、予め測定されている１または複数の色度標準液の光学的特性と該色度標準液の色指数とを対応付けた検量線と対照することで、前記被測定試料と前記色度標準液との比色判定を行う色指数測定装置における制御プログラムの作成方法において、
前記１または複数の色度標準液について、複数の温度で前記光学的特性を測定し、前記検量線を作成する工程を有することを特徴とする色指数測定装置における制御プログラムの作成方法。
【発明の詳細な説明】
【技術分野】
【０００１】
本発明は、被測定試料の光学的特性を測定し、その光学的特性に一致する色度標準液の色指数（インデックス）を判定するようにした色指数測定装置ならびにその制御プログラムおよび制御プログラムの作成方法に関する。
【背景技術】
【０００２】
従来から、液体の被測定試料の色を評価をする方法としては、色指数（インデックス）の値付けられた色度標準液と、前記被測定試料との色を、目視によって比較することで評価する方法が知られ、規格標準として利用されている。具体的には、図２２で示すように、前記液体の被測定試料および１または複数（図２２では４つ）の色度標準液を、比色管と呼ばれる管にそれぞれ封入して、サンプルＳおよび標準試料Ｓ１〜Ｓ４を作成し、暗箱Ｂの２つの開口Ｂ１，Ｂ２に対して、前記サンプルＳおよび標準試料Ｓ１〜Ｓ４の１つをそれぞれ嵌め込んで、箱内の所定の光源Ｌからの透過光を測定者Ｐが観察し、最も色が近い標準試料の色指数（インデックス）を、参照符号Ｆで示すように判定するというものである。
【０００３】
しかしながら、そのような方法では、測定者Ｐの違いによる誤差が大きいという問題がある。そこで、特許文献１〜３では、目視による評価を、色指数測定装置に置換えて色指数（インデックス）の判定を行っている。概略的には、前記各色度標準液の色指数と光学的特性との関係（検量線）を保存しておき、被測定試料の光学的特性を測定し、前記検量線と対照することで、試料の色指数を算出している。
【先行技術文献】
【特許文献】
【０００４】
【特許文献１】特開平５−２９６８３８号公報
【特許文献２】特開平６−３４７３２８号公報
【特許文献３】特開２０００−１８０２６２号公報
【発明の概要】
【発明が解決しようとする課題】
【０００５】
しかしながら、適切な検量線は、図２３に示すように、温度によって変化してしまうという問題がある。図２３は、ハーゼン単位色数の例を示し、１５℃、２３℃、３０℃のそれぞれの温度における光学的特性と色指数との関係を示す前記検量線のグラフである。
【０００６】
また、図２４および図２５は前記色度標準液の色彩値の温度依存性を示すグラフであり、図２４は黄色度（ＹＩ値）の場合を、図２５はＬ＊ａ＊ｂ＊値のｂ＊値の場合を示す。これらのグラフは、２３℃における黄色度（ＹＩ値）およびｂ＊値をそれぞれ基準として、温度を変化させた場合に、それらの値がどれだけの比率で変化するのかを表したものである。
【０００７】
これら図２３〜図２５で示すような現象は、色度標準液の透過率が温度によって変化するために生じるものであり、図２６は、前記２３℃におけるハーゼン単位色数の色度標準液の各波長での透過率の一例を示し、図２７は、前記２３℃を基準として、＋５℃および−５℃での透過率がどれだけの比率で変化するのかを示したグラフである。
【０００８】
前記図２６は、短波長側に吸収帯があることを示し、標準液の透過率は、短波長側に向って小さくなる傾向がある。そして、前記の吸収帯の半値幅が温度によって変化するので、前記の図２７で示すように、短波長側で温度が上がると透過率が減少し、下がると増加する。その結果、前述の図２３で示すように、検量線に温度依存性が見られることになる。
【０００９】
図２９は、異なるハーゼン単位色数（ここでは３種類示している）を持つ色度標準液の透過率を示し、前述の図２６で示したハーゼン単位色数の色度標準液の透過率と同じく、異なるハーゼン単位色数を持つものであっても、短波長側に吸収帯を持つ。さらに図２８に、異なるガードナー色数を持つ色度標準液の透過率（３種類）を示し、図３０に異なるヨウ素色数を持つ色度標準液の透過率（３種類）を示す。いずれも、前述の図２６で示したハーゼン単位色数の色度標準液の透過率と同じく、短波長側に吸収帯を持つ。したがって、ガードナー色数、ハーゼン単位色数あるいはヨウ素色数といった色指数にて、検量線に温度依存性が見られることになる。
【００１０】
しかしながら、前述の従来技術では、測定者の違いによる誤差を無くすことができるものの、前記検量線の温度条件は１条件のみであるので、該検量線が作成された時と同じ温度条件で判定を行う必要があり、前記被測定試料を、その温度条件に一致するように調整しなければならず、不便であるという問題がある。或いは、被測定試料を、固体から液体にするために温度を上げる場合や、その時々の室温で評価する場合があり、その場合には、前述の従来技術では、本来目視の比色で行う色指数に対して、同じ値を出力できないという問題もある。すなわち、色度標準液と被測定試料とを、同じ温度に合わせて判定を行う場合と、相互に異なる温度に設定して判定を行う場合とがあるにも拘わらず、前述の従来技術では、前記検量線の温度条件が１条件のみである。
【００１１】
本発明の目的は、任意の温度で色指数の判定を行えるとともに、目視による比色結果との整合性を持たせることができる色指数測定装置ならびにその制御プログラムおよび制御プログラムの作成方法を提供することである。
【課題を解決するための手段】
【００１２】
本発明の色指数測定装置は、被測定試料の光学的特性を測定し、その測定結果を、予め測定されている１または複数の色度標準液の光学的特性と該色度標準液の色指数とを対応付けた検量線と対照することで、前記被測定試料と前記色度標準液との比色判定を行う色指数測定装置において、前記検量線は、各色度標準液において複数の温度での測定結果から作成されることを特徴とする。
【００１３】
上記の構成によれば、被測定試料のハーゼン単位色数、ヨウ素色数またはガードナー色数などの色指数（インデックス）を求めるにあたって、１または複数の色度標準液について、測定部においてその透過スペクトルの透過率または吸光度を測定し、その測定結果から、Ｌ＊ａ＊ｂ＊値、黄色度（ＹＩ）、三刺激値（ＸＹＺ値）またはｘｙ値などの光学的特性を予め求めて、その光学的特性と該色度標準液の色指数とを対応付けた検量線を作成して記憶部に記憶しておき、色指数演算部において実際に測定した前記被測定試料の光学的特性を前記の検量線と対照することで、どの色指数であるかの判定（比色判定）を、測定者による誤差無く行えるようにした色指数測定装置において、予め準備しておく前記検量線について、各色度標準液において複数の温度での測定結果から作成する。そして、検量線温度条件制御部は、環境または被測定試料の温度に基づいて、前記記憶部における検量線を選択して、前記色指数演算部に設定する。
【００１４】
したがって、測定者は、従来は予め定められた、すなわち検量線が作成された温度でしか被測定試料の色指数の判定を行えなかったのに対して、作成温度が異なる複数の検量線を選択的に用い、適宜補間などを行うことで、任意の温度で色指数の判定を行えるようになり、利便性を向上することができ、また本来の目視による比色結果との整合性を持たせることができる。さらにまた、同じ光学的特性の変化に対して、色指数の変化幅が異なることを利用して、その色指数の変化幅が大きな光学的特性で判定を行うことで、微妙な色指数の違いを高精度に判定することができる。
【００１５】
なお、前記検量線の選択、すなわち温度条件の変更は、前記検量線温度条件制御部が、自動的に前記環境または被測定試料の温度を測定して、その結果に基づいて行ってもよく、或いは測定者が前記環境または被測定試料の温度を測定するなどして、前記検量線温度条件制御部に手動で設定するようにしてもよい。
【００１６】
また、本発明の色指数測定装置では、前記検量線温度条件制御部で選択された検量線の温度条件を表示する表示部をさらに備えることを特徴とする。
【００１７】
上記の構成によれば、検量線の温度条件として設定されている温度の表示を行うことで、測定者はその温度条件を知ることができ、目視評価に相当する温度での測定になっているかどうか、容易に判断できるようになる。
【００１８】
さらにまた、本発明の色指数測定装置では、測定者による温度条件の入力操作に応答して、前記検量線温度条件制御部に前記検量線を選択させる入力操作部と、前記入力操作部から入力された前記温度条件を表示する表示部とをさらに備えることを特徴とする。
【００１９】
上記の構成によれば、測定者は、表示部での表示によって、これから設定する検量線の温度条件を確認しながら、入力操作部から、該検量線の温度条件を任意に設定することができる。
【００２０】
また、本発明の色指数測定装置では、前記被測定試料の温度を測定し、その測定結果に応答して、前記検量線温度条件制御部に前記検量線を選択させる試料温度測定部と、前記試料温度測定部で測定された前記被測定試料の温度を表示する表示部とをさらに備えることを特徴とする。
【００２１】
上記の構成によれば、試料温度測定部が前記被測定試料の温度を測定し、その測定結果に応答して自動的に前記検量線温度条件制御部に前記検量線を選択させるので、測定者が検量線の温度条件を入力する操作を省略することができるとともに、入力し忘れの虞もない。また、測定者は、表示部によって、被測定試料の温度を確認でき、上記のように自動設定された検量線の温度条件が、目視評価相当の条件になっているかどうかを判断することができる。
【００２２】
さらにまた、本発明の色指数測定装置では、環境温度を測定し、その測定結果に応答して、前記検量線温度条件制御部に前記検量線を選択させる環境温度測定部と、前記環境温度測定部で測定された前記環境温度を表示する表示部とをさらに備えることを特徴とする。
【００２３】
上記の構成によれば、環境温度測定部が環境温度を測定し、その測定結果に応答して自動的に前記検量線温度条件制御部に前記検量線を選択させるので、測定者が検量線の温度条件を入力する操作を省略することができるとともに、入力し忘れの虞もない。また、測定者は、表示部によって、環境温度を確認でき、上記のように自動設定された検量線の温度条件が、目視評価相当の条件になっているかどうかを判断することができる。
【００２４】
また、本発明の色指数測定装置では、前記記憶部には、複数種類の光学的特性について、それぞれ複数の温度における検量線が記憶されており、前記複数種類の検量線の内、得られた光学的特性を中心とした所定範囲の該光学的特性の変化に対して、色指数の変化の大きい検量線を用いる光学的特性選択部をさらに備えることを特徴とする。
【００２５】
上記の構成によれば、所定量の光学的特性の変化に対する色指数の変化量が異なることを利用して、前記記憶部には複数種類の光学的特性について、それぞれ複数の温度における検量線を記憶しておき、光学的特性選択部が、得られた光学的特性に応じて、判定に使用する検量線を切換える。
【００２６】
したがって、広い色指数域で、色指数の判定精度を高く維持することができる。
【００２７】
さらにまた、本発明の色指数測定装置では、前記被測定試料または環境の温度を変化することができる温度変更部をさらに備えることを特徴とする。
【００２８】
上記の構成によれば、測定者は、測定しながら試料の温度を変更でき、徐々に温度を上げていって、試料が融解したら即座に測定するなど、試料状態に合わせた測定が可能となる。
【００２９】
また、本発明の色指数測定装置の制御プログラムは、被測定試料と色度標準液との比色判定を行う色指数測定装置における制御プログラムにおいて、複数の温度条件において予め測定されている１または複数の色度標準液の光学的特性と該色度標準液の色指数とを対応付けた検量線を、前記複数の温度条件の中から選択する選択工程と、前記被測定試料の光学的特性を測定する測定工程と、前記測定工程での測定結果を、前記選択工程で選択された検量線と対照することで、前記被測定試料と前記色度標準液との比色判定を行う判定工程とを含むことを特徴とする。
【００３０】
さらにまた、本発明の色指数測定装置の制御プログラムの作成方法は、被測定試料の光学的特性を測定し、その測定結果を、予め測定されている１または複数の色度標準液の光学的特性と該色度標準液の色指数とを対応付けた検量線と対照することで、前記被測定試料と前記色度標準液との比色判定を行う色指数測定装置における制御プログラムの作成方法において、前記１または複数の色度標準液について、複数の温度で前記光学的特性を測定し、前記検量線を作成する工程を有することを特徴とする。
【発明の効果】
【００３１】
本発明の色指数測定装置ならびにその制御プログラムおよび制御プログラムの作成方法は、以上のように、被測定試料のハーゼン単位色数、ヨウ素色数またはガードナー色数などの色指数（インデックス）を求めるにあたって、１または複数の色度標準液について、その透過スペクトルの透過率または吸光度を測定し、その測定結果から、Ｌ＊ａ＊ｂ＊値、黄色度（ＹＩ）、三刺激値（ＸＹＺ値）またはｘｙ値などの光学的特性を予め求めて、その光学的特性と該色度標準液の色指数とを対応付けた検量線を作成しておき、実際に測定した前記被測定試料の光学的特性を前記の検量線と対照することで、どの色指数であるかの判定（比色判定）を、測定者による誤差無く行えるようにした色指数測定装置において、予め準備しておく前記検量線について、各色度標準液において複数の温度での測定結果から作成する。
【００３２】
それゆえ、作成温度が異なる複数の検量線を選択的に用い、適宜補間などを行うことで、任意の温度で色指数の判定を行えるようになり、利便性を向上することができ、また本来の目視による比色結果との整合性を持たせることができる。さらにまた、同じ光学的特性の変化に対して、色指数の変化幅が異なることを利用して、その色指数の変化幅が大きな光学的特性で判定を行うことで、微妙な色指数の違いを高精度に判定することができる。
【図面の簡単な説明】
【００３３】
【図１】本発明の実施の第１の形態に係る色指数測定装置の一態様のブロック図である。
【図２】本発明の実施の第１の形態に係る色指数測定装置の他の態様のブロック図である。
【図３】検量線データの一例を示す図である。
【図４】前記色指数測定装置における光学的特性測定部の一構成例である分光測色計の水平断面図である。
【図５】前記分光測色計の縦断面図である。
【図６】前記検量線データの作成方法を説明するためのフローチャートである。
【図７】被測定試料の色指数の判定方法を説明するためのフローチャートである。
【図８】色度標準液の光学的特性の温度依存性による検量線の温度依存性と、その選択の例とを示すグラフである。
【図９】前記検量線データの他の作成方法を説明するためのフローチャートである。
【図１０】前記分光測色計の外観構成を示す図である。
【図１１】検量線の温度条件および判定された色指数の表示例を示す図である。
【図１２】前記温度条件の入力操作部の一例を示す図である。
【図１３】前記温度条件の入力操作部の他の例を示す図である。
【図１４】図１で示す色指数測定装置の他の態様のブロック図である。
【図１５】図１で示す色指数測定装置のさらに他の態様のブロック図である。
【図１６】前記図１５で示す色指数測定装置による測定試料温度の表示例を示す図である。
【図１７】図１で示す色指数測定装置のさらに他の態様のブロック図である。
【図１８】前記図１７で示す色指数測定装置による測定環境温度の表示例を示す図である。
【図１９】図１で示す色指数測定装置のさらに他の態様のブロック図である。
【図２０】本発明の実施の第２の形態に係る色指数測定装置のブロック図である。
【図２１】色指数測定装置による検量線の選択の様子を示すグラフである。
【図２２】典型的な従来技術の色指数の判定方法を説明するための図である。
【図２３】色度標準液の光学的特性の温度依存性による検量線の温度依存性の例を示すグラフである。
【図２４】色度標準液の色彩値の温度依存性の例を示すグラフである。
【図２５】色度標準液の色彩値の温度依存性の他の例を示すグラフである。
【図２６】色度標準液の透過率の例を示すグラフである。
【図２７】色度標準液の透過率の温度依存性の例を示すグラフである。
【図２８】ガードナー色数の色度標準液の透過率の例を示すグラフである。
【図２９】ハーゼン単位色数の色度標準液の透過率の例を示すグラフである。
【図３０】ヨウ素色数の色度標準液の透過率の例を示すグラフである。
【発明を実施するための形態】
【００３４】
（実施の形態１）
図１および図２は、本発明の実施の第１の形態に係る色指数測定装置１，１１のブロック図である。これらの色指数測定装置１，１１は、前述の色度標準液や被測定試料を、比色管にそれぞれ封入した図２２における標準試料Ｓ１〜Ｓ４やサンプルＳを保持し、その温度を任意に調整することができる温度変更部２を、別体としているか（図１の色指数測定装置１）、一体としているか（図２の色指数測定装置１１）の違いであり、互いに類似し、対応する部分には同一の参照符号を付して示す。
【００３５】
これらの色指数測定装置１，１１は、光学的特性測定部３と、検量線記憶部４と、検量線温度条件制御部５と、色指数演算部６と、色指数入力部７、制御部８とを備えて構成される。なお、これらの色指数測定装置１，１１は、自機にて検量線の作成を可能にしているが、その検量線のデータを、メーカなどで作成して検量線記憶部４に記憶させられる場合は、前記色指数入力部７は設けられなくてもよい。
【００３６】
すなわち、前記検量線の作成時には、先ず、これから測定にかける標準試料Ｓ１〜Ｓ４のいずれかが前記温度変更部２に装填され、前記色指数入力部７から、その装填された標準試料Ｓ１〜Ｓ４の色指数（インデックス）が入力されるとともに、注目すべきは、検量線温度条件制御部５から、前記温度変更部２への設定温度や、前記標準試料Ｓ１〜Ｓ４の実際の測定温度などが、検量線を作成すべき温度として入力されることである。次に、前記標準試料Ｓ１〜Ｓ４の光学的特性が光学的特性測定部３で測定され、その測定結果が、前記色指数入力部７からから入力された色指数（インデックス）および前記検量線温度条件制御部５から入力された温度に対応付けて、検量線記憶部４に記憶される。このような動作を、標準試料Ｓ１〜Ｓ４および温度を変化しながら繰返してゆくことで、前述の図２３で示すような複数の温度における検量線を描画する図３で示すようなテーブルが作成されてゆき、前記検量線記憶部４に記憶される。前記制御部８は、そのような検量線データの作成動作および後述するような色指数の判定動作を制御する。
【００３７】
本実施の形態で用いられる前記色指数（インデックス）は、ハーゼン単位色数、ヨウ素色数またはガードナー色数などである。前記検量線記憶部４には、これらの色指数と光学的特性との関係（検量線）とを記憶しておき、それを選択して使用することで、測定者は精度を任意に選択できる。前記光学的特性測定部３は、前記光学的特性として、前記標準試料Ｓ１〜Ｓ４やサンプルＳの透過スペクトルの透過率または吸光度を測定し、その測定結果から求められるＬ＊ａ＊ｂ＊値、黄色度（ＹＩ）、三刺激値（ＸＹＺ値）またはｘｙ値などである。
【００３８】
ここで示すように、前記光学的な特性を複数考慮しているのは、次の理由による。図２１で示す色指数と光学的特性との関係（検量線）のように、光学的特性における同程度の変化Ａ，Ｂに対して、参照符号α１で示す検量線と、参照符号α２で示す検量線とで、その変化が異なり、特性Ａのときに、検量線α２を使用すると、色指数の変化はａしか得られないのに対して、検量線α１を使用することで、より大きなｂの変化を得ることができる。これに対して、特性Ｂのときには、検量線α１を使用するとｄの変化しか得られないのに対して、検量線α２を使用することで、大きなｃの変化を得ることができる。共に、より大きな変化の検量線を用いた方が、精度が高くなる。
【００３９】
このように同じ色指数であっても、所定量Ａ，Ｂの光学的特性の変化に対する色指数の変化量ａ，ｂ，ｃ，ｄが異なることを利用して、前記検量線記憶部４には複数種類の光学的特性について、それぞれ複数の温度における検量線のデータを記憶しておき、制御部８内の光学特性選択部（不図示）が、得られた光学的特性に応じて、判定に使用する検量線を切換えることで、広い色指数（インデックス）で、該色指数の判定精度を高く維持することができる。
【００４０】
一方、色指数の判定時には、先ず、前記温度変更部２に判定すべきサンプルＳが装填され、検量線温度条件制御部５から使用すべき検量線の温度条件が入力される。この温度条件の入力手法については、後に詳述する。次に、前記サンプルＳの光学的特性が光学的特性測定部３で測定され、その測定結果が、色指数演算部６において、前記検量線温度条件制御部５から入力された温度に対応して検量線記憶部４から読出された検量線と対照され、どの色指数であるか、すなわち前記標準試料Ｓ１〜Ｓ４の内のいずれに近い色であるのかの判定（比色判定）が行われる。このとき、検量線温度条件制御部５から入力された温度に一致する検量線が存在しない場合には、前記色指数演算部６は、その温度に近い検量線を用いて、適宜補間処理などを行ってもよい。
【００４１】
図４および図５は、前記光学的特性測定部３の一構成例である分光測色計３０を示す図であり、図４は水平断面図であり、図５は縦断面図である。前記光学的特性測定部３は、この分光測色計３０などとして実現できるが、前記色指数測定装置１，１１が、この分光測色計３０の１つの機能として実現されてもよい。この分光測色計３０は、いわゆるトップポート型の分光測色計であり、筐体３１の天板３１ａおよび積分球３２の天面に連通して測定ポート３３が形成され、その測定ポート３３を閉塞するように配置された被測定試料３４の色などの光学的特性を測定する。
【００４２】
このため、前記積分球３２の一面には、光源用のキセノンランプ３５および光源測定用の光ファイバ３６が設けられるとともに、一側面に形成された開口３７には、受光光学系３８が臨み、さらに前記積分球３２の中央部には、前記測定ポート３３と開口３７との間に光路を形成するミラー３９が設けられる。そして、前記キセノンランプ３５からの照明光が紫外線カットフィルタ４０を通して前記積分球３２内に放射され、該積分球３２内を散乱して前記測定ポート３３上に配置された被測定試料３４を照明し、該被測定試料３４からの反射光は、前記ミラー３９から開口３７を通して前記受光光学系３８に入射されて反射分光強度信号が得られ、前記被測定試料３４の色を測定することができる。また、前記照明光自体の分光強度は、前記被測定試料３４の色測定時の照明光が光ファイバ３６から前記受光光学系３８に入射され、参照光分光強度信号として得られる。
【００４３】
また、前記標準試料Ｓ１〜Ｓ４およびサンプルＳの光学的特性の測定時には、それらの標準試料Ｓ１〜Ｓ４およびサンプルＳは、前記筐体３１のスライド天板３１ｂがスライドして露出した開口３７と受光光学系３８との間の空間に配置され、前記スライド天板３１ｂを閉じ、前記測定ポート３３を閉塞した状態で、積分球３２からの照明光を透過させて測定が行われる。
【００４４】
図６は、前述の検量線記憶部４に対する検量線データの格納方法を説明するためのフローチャートである。前記光学的特性を測定すべき温度条件の数をＮとし、Ｎは２以上の整数で、その最大値、すなわち目的入力条件数をＮＴとする。また、ＴＮは、各温度条件Ｎでの温度を表すものとし、相互に異なる。たとえば、前記温度ＴＮの範囲としては、たとえば最小で１０℃、最大で４０℃である。一方、入力する色度標準液の個数をｎとし、ｎは１以上の整数で、その最大値、すなわち目的入力標準液個数をｎＴとする。これに対応して、色度標準液の色指数をＣｎとし、この色指数Ｃｎは、溶液の内容濃度によって規定されているので、温度には依存しない。また、色度標準液の光学的特性をＯｎとし、温度条件ＴＮのときの光学的特性をＯｎ（ＴＮ）とし、この光学的特性Ｏｎは、温度に依存する。
【００４５】
制御部８は、先ずステップＳ１で温度条件Ｎを１として、次にステップＳ２で色度標準液の個数ｎを１として、最初の色度標準液（標準試料Ｓ１）が選択されて、ステップＳ３では、温度変更部２によって、その色度標準液の温度が所定の設定温度ＴＮ（この場合は最初の設定温度Ｔ１）とされるとともに、ステップＳ４で、検量線温度条件制御部５によって検量線の温度条件がＴＮに設定される。
【００４６】
こうして、前記最初の色度標準液（標準試料Ｓ１）の光学的特性の測定が可能になるとステップＳ５に移り、色指数入力部７からは測定すべき色度標準液の色指数Ｃｎ（この場合にはＣ１）が入力され、ステップＳ６では、光学的特性測定部３によって前記色度標準液（標準試料Ｓ１）の光学的特性Ｏｎ（ＴＮ）（この場合にはＯ１（Ｔ１））の測定が行われる。ステップＳ７では、制御部８は、前記個数ｎが目的入力標準液個数ｎＴに達したか否かを判断し、達していないときにはステップＳ８で前記個数ｎに１が加算されて更新された後、前記ステップＳ５に戻って、次の色度標準液（標準試料Ｓ２）の光学的特性の測定が同様にして行われる。ステップＳ７で、総て（ｎＴ個）の色度標準液に対して光学的特性の測定が終了していると、ステップＳ９で、制御部８は、その測定結果Ｏｎ（ＴＮ）［Ｏ１（ＴＮ）〜ＯｎＴ（ＴＮ）］を検量線データとして、それぞれの色指数Ｃｎ［Ｃ１〜ＣｎＴ］に対応付けて、前記検量線記憶部４に記憶させてゆく。
【００４７】
続いてステップＳ１０では、制御部８は、温度条件Ｎが目的入力条件数ＮＴに達したか否か、すなわち総ての温度条件について測定を終えたか否かを判断し、そうであるときには処理を終了し、そうでないときにはステップＳ１１で、前記温度条件Ｎに１が加算されて更新された後、前記ステップＳ２に戻って、次の温度条件での測定を行う。このようにして、本実施の形態の色指数測定装置１，１１の制御プログラムにおける検量線のデータを作成することができる。
【００４８】
また、図７は、被測定試料（前記サンプルＳ）の色指数の判定方法を説明するためのフローチャートである。ステップＳ２１で、前記検量線温度条件制御部５から検量線の温度条件ＴＳが設定されると、ステップＳ２２で、制御部８は、その温度条件ＴＳに対応する検量線データ、すなわち光学的特性Ｏｎ（ＴＳ）［Ｏ１（ＴＳ）〜ＯｎＴ（ＴＳ）］と、対応する色指数Ｃｎ［Ｃ１〜ＣｎＴ］とを、検量線データとして検量線記憶部４から読出し、色指数演算部６に設定する。ステップＳ２３では、前記光学的特性測定部３によって、実際の光学的特性ＯＳが測定される。ステップＳ２４では、前記色指数演算部６によって、前記光学的特性ＯＳが前記検量線データから成る検量線に対照され、最も近似した色指数ＣＳが判定されて処理を終了する。光学的特性ＯＳを測定する際の温度条件ＴＳに完全に一致した検量線データが格納されていない場合には、前記色指数演算部は、適宜補間演算などを行った結果から、前記色指数ＣＳを判定すればよい。このようにして、本実施の形態の色指数測定装置１，１１の制御プログラムを実現することができる。
【００４９】
上述のように構成することで、たとえば図８で示すような、温度が相互に異なる複数の（図８の例では、１５℃、２３℃、３０℃の３つの）検量線を、択一的、或いは適宜組合わせて使用して、サンプルＳ（被測定試料）の任意の温度での色指数を正確に判定することができ、目視による比色結果と一致する結果を得ることができる。
【００５０】
具体的には、前記図８における検量線を用いて、該検量線、すなわち標準試料Ｓ１〜Ｓ４（色度標準液）の前記３つの温度と、同じ温度および異なる温度（前記１５℃、２３℃、３０℃の３つの温度の内で異なる温度）でサンプルＳ（被測定試料）の色指標を判定した場合の判定ポイントを、該図８における（１）〜（６）のポイントで示し、それぞれの判定条件と、判定の結果および前記図８との対応を表１に示す。一方、表２には、前記図８における１つの検量線（２３℃）のみを用いて、前記３つの温度の内で異なる温度のサンプルＳ（被測定試料）の色指標を判定した場合の判定の結果をに示す。
【００５１】
【表１】
2011191189.tif 000003
【００５２】
【表２】
2011191189.tif 000004
【００５３】
表１からは、前記３つの温度の内の何れの温度のサンプルＳ（被測定試料）も、前記３つの温度の内の何れの温度の検量線に対照して、色指数を求めることができるので、目視での比色との結果が一致することが理解される。これに対して、表２からは、標準試料Ｓ１〜Ｓ４（色度標準液）の温度と検量線の温度条件とが一致する、すなわち標準試料Ｓ１〜Ｓ４の温度が２３℃である場合だけが目視での結果と一致している。
【００５４】
以上のように本実施の形態の色指数測定装置１，１１は、サンプルＳ（被測定試料）のハーゼン単位色数、ヨウ素色数またはガードナー色数などの色指数（インデックス）を求めるにあたって、１または複数の標準試料Ｓ１〜Ｓ４（色度標準液）について、光学的特性測定部３においてその透過スペクトルの透過率または吸光度を測定し、その測定結果から、Ｌ＊ａ＊ｂ＊値、黄色度（ＹＩ）、三刺激値（ＸＹＺ値）またはｘｙ値などの光学的特性を予め求めて、その光学的特性と該標準試料Ｓ１〜Ｓ４（色度標準液）の色指数とを対応付けた検量線を作成して検量線記憶部４に記憶しておき、色指数演算部６において実際に測定した前記サンプルＳ（被測定試料）の光学的特性を前記の検量線と対照することで、どの色指数であるかの判定（比色判定）を、測定者による誤差無く行えるようにした色指数測定装置において、以下のように構成する。
【００５５】
すなわち、予め準備しておく前記検量線について、各標準試料Ｓ１〜Ｓ４（色度標準液）において複数の温度での測定結果から作成し、検量線温度条件制御部５は、環境またはサンプルＳ（被測定試料）の温度に基づいて、前記検量線記憶部４における検量線を選択して、前記色指数演算部６に設定するので、測定者は、従来は予め定められた、すなわち検量線が作成された温度でしかサンプルＳ（被測定試料）の色指数の判定を行えなかったのに対して、作成温度が異なる複数の検量線を用い、適宜補間などを行うことで、任意の温度で色指数の判定を行えるようになり、利便性を向上することができ、また本来の目視による比色結果との整合性を持たせることができる。なお、前記検量線の選択、すなわち温度条件の変更は、前記検量線温度条件制御部５が、自動的に前記環境またはサンプルＳ（被測定試料）の温度を測定して、その結果に基づいて行ってもよく、或いは測定者が前記環境またはサンプルＳ（被測定試料）の温度を測定するなどして、前記検量線温度条件制御部５に手動で設定するようにしてもよい。
【００５６】
なお、検量線の作成にあたって、データポイントは少なくとも１つあればよく、すなわち光学的特性（色度標準液）は、最少限１つ測定されればよく、検量線を作成するためのもう１点のデータポイントは、原点や、所定の数値の点が代用されてもよい。
【００５７】
また、前記検量線記憶部４に記憶されるのは、複数の温度条件での検量線のデータに限らず、１つの温度条件での検量線のデータを基準として、他の温度条件での検量線については、その基準の検量線に対する温度依存性を表すデータとであってもよい（本件明細書では同義で扱うこととする）。このような場合における検量線データの作成方法を、図９のフローチャートを用いて具体的に説明する。図９において、前述の図６で示す処理と同一の処理には同一のステップ番号を付して示し、類似する処理には添字ａを付して示す。ここでは、基準とする温度条件をＴＫとし、その基準温度条件ＴＫと任意の温度条件ＴＮとの差分（温度依存性）をｄＯｎ（ＴＮ−ＴＫ）とする。
【００５８】
図６と同様に、制御部８は、先ずステップＳ１で温度条件Ｎを１として、次にステップＳ２で色度標準液の個数ｎを１として、最初の色度標準液（標準試料Ｓ１）が選択されて、ステップＳ３ａでは、温度変更部２によって、その色度標準液の温度が前記基準とする温度ＴＫとされるとともに、ステップＳ４ａで、検量線温度条件制御部５によって検量線の温度条件がＴＫに設定される。
【００５９】
こうして、前記最初の色度標準液（標準試料Ｓ１）の光学的特性の測定が可能になるとステップＳ５に移り、色指数入力部７からは測定すべき色度標準液の色指数Ｃｎ（この場合にはＣ１）が入力され、ステップＳ６ａでは、光学的特性測定部３によって前記色度標準液（標準試料Ｓ１）の光学的特性Ｏｎ（ＴＫ）の測定が行われる。ステップＳ７では、制御部８は、前記個数ｎが目的入力標準液個数ｎＴに達したか否かを判断し、達していないときにはステップＳ８で前記個数ｎに１が加算されて更新された後、前記ステップＳ５に戻って、次の色度標準液（標準試料Ｓ２）の光学的特性の測定が同じ温度ＴＫで行われる。ステップＳ７で、総て（ｎＴ個）の色度標準液に対して光学的特性の測定が終了していると、ステップＳ９ａで、制御部８は、その測定結果Ｏｎ（ＴＫ）［Ｏ１（ＴＫ）〜ＯｎＴ（ＴＫ）］を前記温度ＴＫにおける検量線データとして、それぞれの色指数Ｃｎ［Ｃ１〜ＣｎＴ］に対応付けて、前記検量線記憶部４に記憶させてゆく。
【００６０】
以上で前記基準の温度ＴＫでの測定が終了すると、以降はステップＳ３１〜Ｓ３８での差分（温度依存性）ｄＯｎ（ＴＮ−ＴＫ）を測定する処理に移る。これらのステップＳ３１〜Ｓ３８での処理は、前述のステップＳ１〜Ｓ８での処理に類似している。すなわち、ステップＳ３１で温度条件Ｎを２として、次にステップＳ３２で色度標準液の個数ｎを１として、最初の色度標準液（標準試料Ｓ１）が選択されて、ステップＳ３３では、温度変更部２によって、その色度標準液の温度が次の温度ＴＮとされるとともに、ステップＳ３４で、検量線温度条件制御部５によって検量線の温度条件がＴＮ−ＴＫに設定される。
【００６１】
こうして、前記最初の色度標準液（標準試料Ｓ１）の光学的特性の測定が可能になるとステップＳ３５に移り、色指数入力部７からは測定すべき色度標準液の色指数Ｃｎ（初回はＣ１）が入力され、ステップＳ３６では、光学的特性測定部３によって前記色度標準液（標準試料Ｓ１）の光学的特性Ｏｎ（ＴＮ）の測定が行われる。次に、色指数演算部６は、ステップＳ４０で、前記ステップＳ３６での測定結果Ｏｎ（ＴＮ）と前記基準の温度ＴＫでの測定結果Ｏｎ（ＴＫ）との差分（温度依存性）ｄＯｎ（ＴＮ−ＴＫ）を演算する。続いてステップＳ３７では、制御部８は、前記個数ｎが目的入力標準液個数ｎＴに達したか否かを判断し、達していないときにはステップＳ３８で前記個数ｎに１が加算されて更新された後、前記ステップＳ３５に戻って、次の色度標準液（標準試料Ｓ２）の光学的特性の測定が同じ温度ＴＮで行われる。ステップＳ３７で、総て（ｎＴ個）の色度標準液に対して光学的特性の測定が終了していると、ステップＳ３９で、制御部８は、その差分（温度依存性）ｄＯｎ（ＴＮ−ＴＫ）［ｄＯ１（Ｔ１−ＴＫ〜ＴＮＴ−ＴＫ）〜ｄＯｎＴ（Ｔ１−ＴＫ〜ＴＮＴ−ＴＫ）］を、前記温度ＴＮにおける検量線データとして、それぞれの色指数Ｃｎ［Ｃ１〜ＣｎＴ］に対応付けて、前記検量線記憶部４に記憶させてゆく。
【００６２】
続いてステップＳ１０では、制御部８は、温度条件Ｎが目的入力条件数ＮＴに達したか否か、すなわち総ての温度条件について測定を終えたか否かを判断し、そうであるときには処理を終了し、そうでないときにはステップＳ１１で、前記温度条件Ｎに１が加算されて更新された後、前記ステップＳ３２に戻って、次の温度条件での測定を行う。このようにその差分（温度依存性）データｄＯｎ（ＴＮ−ＴＫ）を用いてもまた、複数の温度条件で、色指数の判定を行うことができる。
【００６３】
ここで、図１０に、前述の図４および図５で示す分光測色計３０の外観構成を示す。この分光測色計３０の筐体３１における傾斜した前面板３１ｃには、入力操作部４５が設けられている。この分光測色計３０は、パーソナルコンピュータなどの外部の入力操作手段や演算手段に接続されて、遠隔操作が行われたり、前述の図６および図９で示すような検量線データの取込み、ならびに図７で示すような色指数の判定が、それらの外部機器で行われてもよい。すなわち、該分光測色計３０には、光学的特性測定部３だけが搭載されるような構成であってもよい。
【００６４】
しかしながら、前述の図１や図２で示す各部３〜８が搭載される場合には、前記入力操作部４５には、図１１で示す表示部４５ａのように、前記検量線温度条件制御部５で選択された検量線の温度条件の表示が行われてもよい。図１１では、その温度条件の表示に、合わせて、色指数の判定結果が表示されている。このように検量線の温度条件として設定されている温度の表示を行うことで、測定者はその温度条件を知ることができ、目視評価に相当する温度、すなわち前記検量線のデータが検量線記憶部４に記憶されている温度での測定になっているかどうかを、容易に判断できるようになる。
【００６５】
また、図１２や図１３で示すように、前記表示部４５ａに近接して、前記検量線の温度条件の入力操作を行うための入力操作部４５ｂを設け、測定者によるこの入力操作部４５ｂ，４５ｃへの入力操作に応答して、前記検量線温度条件制御部５が前記検量線記憶部４の検量線データを選択するとともに、前記表示部４５ａにその選択結果を表示するようにしてもよい。その場合の構成は、たとえば図１で示す色指数測定装置１に対応した場合、図１４で示す色指数測定装置１ａのようになる。このように構成することで、測定者は、表示部４５ａでの表示によって、これから設定する検量線の温度条件を確認しながら、入力操作部４５ｂ，４５ｃから、該検量線の温度条件を任意に設定することができる。
【００６６】
一方、前記検量線温度条件制御部５は、被測定試料（サンプルＳ）や色度標準液（標準試料Ｓ１〜Ｓ４）の温度の測定結果に応答して、前記検量線のデータを変更するようにしてもよい。その場合の構成は、たとえば図１で示す色指数測定装置１に対応した場合、図１５で示す色指数測定装置１ｂのようになり、試料温度測定部４６が前記被測定試料（サンプルＳ）や色度標準液（標準試料Ｓ１〜Ｓ４）の温度を測定し、その測定結果に応答して、前記検量線温度条件制御部５に前記検量線のデータを選択させる。また、前記試料温度測定部４６で測定された前記被測定試料（サンプルＳ）や色度標準液（標準試料Ｓ１〜Ｓ４）の温度は、たとえば図１６で示すように、表示部４５ｄに表示される。
【００６７】
このように構成することで、試料温度測定部４６が前記被測定試料（サンプルＳ）や色度標準液（標準試料Ｓ１〜Ｓ４）の温度を測定し、その測定結果に応答して自動的に前記検量線温度条件制御部５に検量線のデータを選択させるので、測定者が検量線の温度条件を入力する操作を省略することができるとともに、入力し忘れの虞もない。また、測定者は、表示部４５ｄによって、前記被測定試料（サンプルＳ）や色度標準液（標準試料Ｓ１〜Ｓ４）の温度を確認でき、上記のように自動設定された検量線の温度条件が、目視評価相当の条件になっているかどうかを判断することができる。
【００６８】
また、前記試料温度測定部４６に代えて、図１７で示す色指数測定装置１ｃのように、環境温度測定部４７を用い、該環境温度測定部４７が環境温度を測定し、その測定結果に応答して、前記検量線温度条件制御部５に前記検量線のデータを選択させてもよい。また、前記環境温度は、たとえば図１８で示すように、表示部４５ｅに表示される。
【００６９】
このように構成することで、環境温度測定部４７が環境温度を測定し、その測定結果に応答して自動的に前記検量線温度条件制御部５に前記検量線のデータを選択させるので、測定者が検量線の温度条件を入力する操作を省略することができるとともに、入力し忘れの虞もない。また、測定者は、表示部４５ｅによって、環境温度を確認でき、上記のように自動設定された検量線の温度条件が、目視評価相当の条件になっているかどうかを判断することができる。
【００７０】
さらにまた、前記検量線温度条件制御部５への温度設定には、前記被測定試料（サンプルＳ）や色度標準液（標準試料Ｓ１〜Ｓ４）の温度を変化する温度変更部２における設定（目標、維持）温度を取得するようにしてもよい。その場合の構成は、たとえば図１で示す色指数測定装置１に対応した場合、図１９で示す色指数測定装置１ｄのようになり、測定試料温度変更部４８が前記温度変更部２と通信を行い、前記温度変更部２における前記設定（目標、維持）温度、或いは該測定試料温度変更部４８から前記温度変更部２に設定（目標、維持）する温度に基づき、前記検量線温度条件制御部５が前記検量線記憶部４における検量線のデータを選択する。なお、前記温度変更部２は、前記被測定試料（サンプルＳ）や色度標準液（標準試料Ｓ１〜Ｓ４）の温度を直接変更するのではなく、環境温度を変化させることで間接的に変化させてもよい。
【００７１】
このように構成することで、測定者は、測定しながら被測定試料（サンプルＳ）や色度標準液（標準試料Ｓ１〜Ｓ４）の温度を変更でき、徐々に温度を上げていって、融解したら即座に測定するなど、試料状態に合わせた測定が可能となる。
【００７２】
（実施の形態２）
図２０は、本発明の実施の第２の形態に係る色指数測定装置５１のブロック図である。この色指数測定装置５１は、前述の色指数測定装置１，１１に類似し、対応する部分には同一の参照符号を付して示し、その説明を省略する。注目すべきは、この色指数測定装置５１では、複数種類の色指数が使用可能となっていることである。このため、光学的特性測定部３および色指数入力部７は共通であるものの、２つの検量線記憶部４ａ，４ｂ、検量線温度条件制御部５ａ，５ｂ、色指数演算部６ａ，６ｂおよび制御部８ａ，８ｂが設けられている。検量線のデータの作成方法および色指数の判定方法は上述の通りであり、それぞれ並行して２種類の色指数について行われるだけである。その２種類の色指数（インデックス）は、たとえば前述のハーゼン単位色数、ヨウ素色数またはガードナー色数の内の２つであり、２つの検量線記憶部４ａ，４ｂに個別に記憶されている。
【００７３】
そして、色指数選択部５２が、前記２つの色指数演算部６ａ，６ｂで得られた色指数の内、所定範囲内であった方の判定結果を出力する。出力する色指数は、１つでもよいし、同時に２つでもよい。これによって、試料の色の濃さによって、使用できる範囲が限られている（比較的淡色はハーゼン単位色数、比較的濃色はガードナー色数など）ので、試料の測定結果によっては、色指数の使い分けが必要であるところ、同時に評価しておくことで、再測定の必要が無くなる。
【符号の説明】
【００７４】
１，１ａ，１ｂ，１ｃ，１ｄ，１１，５１    色指数測定装置
２    温度変更部
３    光学的特性測定部
４，４ａ，４ｂ    検量線記憶部
５，５ａ，５ｂ    検量線温度条件制御部
６，６ａ，６ｂ    色指数演算部
７    色指数入力部
８，８ａ，８ｂ    制御部
３０    分光測色計
３１    筐体
３１ｂ  スライド天板
３１ｃ  前面板
３２    積分球
３３    測定ポート
３４    被測定試料
３５    キセノンランプ
３６    光ファイバ
３７    開口
３８    受光光学系
３９    ミラー
４０    紫外線カットフィルタ
４５    入力操作部
４５ａ，４５ｄ，４５ｅ    表示部
４５ｂ，４５ｃ    入力操作部
４６    試料温度測定部
４７    環境温度測定部
４８    測定試料温度変更部
５２    色指数選択部
Ｓ    サンプル
Ｓ１〜Ｓ４    標準試料
【図１】
2011191189.tif 000005
【図２】
2011191189.tif 000006
【図３】
2011191189.tif 000007
【図４】
2011191189.tif 000008
【図５】
2011191189.tif 000009
【図６】
2011191189.tif 000010
【図７】
2011191189.tif 000011
【図８】
2011191189.tif 000012
【図９】
2011191189.tif 000013
【図１０】
2011191189.tif 000014
【図１１】
2011191189.tif 000015
【図１２】
2011191189.tif 000016
【図１３】
2011191189.tif 000017
【図１４】
2011191189.tif 000018
【図１５】
2011191189.tif 000019
【図１６】
2011191189.tif 000020
【図１７】
2011191189.tif 000021
【図１８】
2011191189.tif 000022
【図１９】
2011191189.tif 000023
【図２０】
2011191189.tif 000024
【図２１】
2011191189.tif 000025
【図２２】
2011191189.tif 000026
【図２３】
2011191189.tif 000027
【図２４】
2011191189.tif 000028
【図２５】
2011191189.tif 000029
【図２６】
2011191189.tif 000030
【図２７】
2011191189.tif 000031
【図２８】
2011191189.tif 000032
【図２９】
2011191189.tif 000033
【図３０】
2011191189.tif 000034